(57)【特許請求の範囲】
【請求項１】
通信中に相手の画像を静止画像として任意に自端末に蓄積し、相手端末からの画像受信が途切れたときに、既に蓄積している相手の静止画像を案内文字とともに自動的に表示することを特徴とするテレビ電話装置のデータ処理方法であって、静止画像蓄積手段にて複数の相手の静止画像を相手の電話番号と関連付けて登録および蓄積し、２者通信中に登録済みの相手から電話がかかってきたとき、現在通信中の画像に３者目の相手の蓄積画像を案内文字とともに画面に表示させるとともに、当方で蓄積部から取り出した３者目の相手静止画像を通信路の制御チャネルを介して、はじめから通信している相手端末へ送信し相手端末にも３者目が認識できるように画面に表示させることを特徴とするテレビ電話装置のデータ処理方法。
【発明の詳細な説明】
【０００１】
【発明の属する技術分野】
本発明は、有線、無線を問わず、音声、画像およびデータを送受信する通信端末を使用し、付加的情報を制御チャネルを介して静止画像や電話番号情報をやり取りするテレビ電話装置のデータ処理方法及びテレビ電話装置に関する。
【０００２】
【従来の技術】
図２は従来の無線端末システム装置の機能ブロック図であり、図示のようにテレビ会議システム装置である自端末１０１および相手端末１０２よりなり、ネゴシエーション制御部１０３と、画像処理部１０４と、画像取込部１０５と、画像表示部１０６と、音声処理部１０８と、音声入力部１０９と、音声出力部１１０と、多重化部１１１と、回線Ｉ／Ｆ部１１２とから構成されている。また、自端末１０１と相手端末１０２は、通信回線網２０１によって物理的に接続されるシステム構成になっている。
【０００３】
前記従来のテレビ会議等に使用する端末では、通信中に回線障害や相手端末のプライバシーモード切換等が発生すると自端末の表示画像の更新は行われず、意図しない静止画像やブルーバック画像を表示していた。
【０００４】
【発明が解決しようとする課題】
しかしながら、上記従来の方法および構成では、意図しない静止画像やブルーバック画像になった原因がユーザから見て特定できないばかりか、認識困難な静止した画像を表示し続けるということが起こっていた。
【０００５】
また、２者通話から３者通話になったときに、はじめから通信していた通信相手からみて、一体誰が通信に参加してきたのか即座に知る術が無かった。
【０００６】
本発明は上記従来の問題点を解決するもので、回線障害や相手端末のプライバシーモード切換等の場合に対処するために、あらかじめ通信相手の任意の静止画像を蓄積し、受信画像更新をしない状態に陥ったときに自動的に通信相手の静止画像を案内文字とともに自端末に表示することと、２者通話から３者通話になったときに、はじめから通信していた通信相手からみて一体誰が通信に参加してきたのか即座に知ることのできるテレビ電話装置のデータ処理方法及びデータ処理装置を提供することを目的としている。
【０００７】
【課題を解決するための手段】
前記目的を達成するために本発明は、有線や無線を問わない音声、画像およびデータ通信を行うテレビ電話システムにおいて、通信中に相手の画像を静止画像として任意に自端末に蓄積し、相手端末からの画像受信が途切れたときに、既に蓄積している相手の静止画像を案内文字とともに自動的に表示することを特徴とするテレビ電話装置のデータ処理方法であって、静止画像蓄積手段にて複数の相手の静止画像を相手の電話番号と関連付けて登録および蓄積し、２者通信中に登録済みの相手から電話がかかってきたとき、現在通信中の画像に３者目の相手の蓄積画像を案内文字とともに画面に表示させるとともに、当方で蓄積部から取り出した３者目の相手静止画像を通信路の制御チャネルを介して、はじめから通信している相手端末へ送信し相手端末にも３者目が認識できるように画面に表示させることを特徴とするものである。
【０００８】
本発明によれば、受信画像の動画更新が不可能になったときに自動的に蓄積済みの静止画像を表示でき、また、２者通話状態から３者通話状態に移行したときに、画面上に表示でき、その利用を便利にする。
【０００９】
【発明の実施の形態】
本発明の請求項１に記載の発明は、通信中に相手の画像を静止画像として任意に自端末に蓄積し、相手端末からの画像受信が途切れたときに、既に蓄積している相手の静止画像と、静止画像を表示するに至った原因を案内文字化したデータと一緒に自動的に表示するテレビ電話装置のデータ処理方法としたものであり、回線障害や相手端末プライバシーモード移行等の場合でも不自然な静止画像やブルーバック画像を表示することなく、既に蓄積しておいた相手の静止画像を案内文字とともに表示することができるという作用を有する。
【００１０】
本発明の請求項２に記載の発明は、通信中に相手の画像を静止画像として蓄積する静止画蓄積部と、自端末ユーザの任意の指示を受けて静止画蓄積部へ蓄積指示を出す蓄積制御部と、回線の障害を検出する回線障害検出部と、画像の差分情報がほとんど無くなったことを検出する画像差分情報検出部と、相手からの制御信号により相手が意図的に画像送信を止めたことを認識する制御信号判定部と、これら回線障害検出部、画像差分情報検出部、制御信号判定部からの情報を総合判断して当方で受けている画像はリアルタイム画像ではないということを判断し静止画蓄積部内の画像に別途文字を合成して当方の画面に表示させる表示制御部を具備するテレビ電話装置としたものであり、請求項１のテレビ電話装置のデータ処理方法を静止画蓄積部、蓄積制御部、回線障害検出部、画像差分情報検出部、制御信号判定部、表示制御部の構成によって実現できるという作用を有する。
【００１１】
本発明の請求項３に記載の発明は、請求項１に記載のテレビ電話装置のデータ処理方法において、静止画像蓄積手段にて複数の相手の静止画像を相手の電話番号と関連付けて登録および蓄積し、２者通信中に登録済みの相手から電話がかかってきたとき、現在通信中の画像に３者目の相手の蓄積画像を適当な案内文字データとともに画面に表示させるようにしたものであり、双方が２者通信中に自端末に電話してきた相手の電話番号をもとに３者目の相手の静止画像を自端末の画面上に表示できるという作用を有する。
【００１２】
本発明の請求項４に記載の発明は、請求項３に記載のテレビ電話装置のデータ処理方法において、当方で蓄積部から取り出した３者目の相手静止画像を通信路の制御チャネルを介して、はじめから通信している相手端末へ送信し相手端末にも３者目が認識できるように画面に表示させるようにしたものであり、３者目の静止画像を、適当な案内文字データとともに、はじめから通信していた相手側でも表示することができるという作用を有する。
【００１３】
以下、本発明の実施の形態について、図面を用いて説明する。
（実施の形態１）
図１は本発明の実施の形態１のテレビ電話システム装置の機能ブロック図である。なお、図１では、前述の図２に示す従来例と同じ構成部に同一符号を付与している。
【００１４】
図１に示すテレビ会議システム装置である自端末１０１および相手端末１０２は、相手の画像更新が不可能であるときに事前に蓄積された相手の静止画像を自端末の画面へ案内文字とともに表示できる作用を行うもので、ネゴシエーション制御部１０３、画像処理部１０４、画像取込部１０５、画像表示部１０６、表示生成部１０７、音声処理部１０８、音声入力部１０９、音声出力部１１０、多重化部１１１、回線Ｉ／Ｆ部１１２、静止画蓄積部１１３、蓄積制御部１１４、回線障害検出部１１５、画像差分情報検出部１１６、制御信号判定部１１７、表示制御部１１８から構成されている。また、自端末１０１と相手端末１０２は、通信回線網２０１によって物理的に接続されるシステム構成になる。
【００１５】
本実施の形態１は、前記の構成に静止画蓄積部１１３と、蓄積制御部１１４と、回線障害検出部１１５と、画像差分情報検出部１１６と、制御信号判定部１１７と、表示制御部１１８を付加した構成に特徴を有する。
【００１６】
前記テレビ電話システム装置の処理の流れを図３のフローチャートに基づいて説明する。自端末１０１と相手端末１０２は、正常通信状態にて通信回線網２０１を介して通信を行っている。
【００１７】
ここで、ユーザの指示により画像処理部１０４にて、動画データの一部（たとえば動画化するために使用する差分情報の基本画像となるデータ）を静止画として静止画蓄積部１１３へ画像表示部１０６に映った相手の任意の画像を蓄積する（ＳＴＥＰ・３０１）。
【００１８】
この状態が整ってから、回線障害検出部１１５にて回線障害が発生したことを検出した場合（ＳＴＥＰ・３０２）、画像差分情報検出部１１６にて一定時間表示すべき画像データの更新が行われないことを検出した場合（ＳＴＥＰ・３０３）、制御信号判定部１１７にて回線側から画像送出停止通知を検出した場合（ＳＴＥＰ・３０４）、蓄積制御部１１４は、画像処理部１０４に対し画像表示部１０６への表示データ送出を停止させる指示を出すとともに、表示制御部１１８に対して表示生成部１０７が静止画蓄積部１１３に蓄積されている静止画像データと適切な案内文字を合成して画像表示部１０６に表示させるように指示を出す（ＳＴＥＰ・３０５）。
【００１９】
そしてその状態にて、回線障害検出部１１５にて回線障害が正常に戻ったとを検出した場合（ＳＴＥＰ・３０６）、画像差分情報検出部１１６にて画像データの更新が行われたことを検出した場合、制御信号判定部１１７にて回線側から画像送出再開通知を検出した場合に、蓄積制御部１１４は表示制御部１１８に対して表示生成部１０７が静止画蓄積部１１３に蓄積されている静止画像データと適切な案内文字を合成して画像表示部１０６に表示させることを中止させ、多重化部１１１からくる画像データを画像処理部１０４にて復号化処理し、画像表示部１０６に表示させる指示を出す。
【００２０】
また、この構成を用いて蓄積制御部１１４にて、相手電話番号と相手静止画像とを関連付けて静止画蓄積部１１３に蓄積しておくことにより、２者通信をしているときに３者目が自端末１０１（または相手端末１０２）に通話参加として接続したときに、静止画蓄積部１１３から該当する静止画像を取り出し、自端末１０１（または相手端末１０２）の画像表示部１０６へ表示できる作用および相手端末１０２（または自端末１０１）へ該当する静止画像を通信帯域の制御チャネルを介して送出し、相手端末１０２（または自端末１０１）の画像表示部１０６へ表示できる作用も行える。
【００２１】
この発明の実施における処理の流れとしては、まず、蓄積制御部１１４にて、相手電話番号と相手静止画像とを関連付けて静止画蓄積部１１３に蓄積しておく。相手静止画像は、前の処理例で示したように該当者との通信中に得ることとする。（図４のフローチャート参照のこと。）
実際の通信状態にて静止画像を使用する場合の一例について図５のフローチャートに基づいて説明する。まず自端末１０１は、あるひとつの相手端末１０２と通信状態に入る（ＳＴＥＰ・５０１）。そこへ別の相手端末１０２から自端末１０１に対して電話をかけてきたときに（ＳＴＥＰ・５０２）、相手電話番号を獲得し（ＳＴＥＰ・５０３）、蓄積制御部１１４は相手電話番号をもとに静止画蓄積部１１３内の画像情報管理テーブルを検索する（ＳＴＥＰ・５０４）。蓄積制御部１１４は、表示制御部１１８に対して表示生成部１０７が静止画蓄積部１１３に蓄積されている該当静止画像データと適切な案内文字を合成し（ＳＴＥＰ・５０５）、画像表示部１０６によって画面内の一角に表示させる指示を出す（ＳＴＥＰ・５０６）。
【００２２】
さらに、静止画蓄積部１１３にある検索された静止画像データを多重化部１１１にてＪＰＥＧ形式データとして相手端末１０２へ送る（ＳＴＥＰ・５０７）。
【００２３】
静止画データを受取った相手端末１０２は表示生成部１０７によって適切な案内文字と合成され画像表示部１０６によって画面内の一角に表示させる指示を出す。（図６のフローチャート参照のこと。）
【００２４】
【発明の効果】
以上の説明より明らかなように、本発明によれば、回線障害や相手端末のプライバシーモード切換等の場合に対処するために、あらかじめ通信相手の任意の静止画像を蓄積し、受信画像更新をしない状態に陥ったときに自動的に通信相手の静止画像を案内文字とともに自端末に表示することができることと、２者通話から３者通話になったときに、はじめから通信していた通信相手からみて一体誰が通信に参加してきたのか即座に知ることができるので便利になる。
【図面の簡単な説明】
【図１】本発明の実施の形態１のテレビ電話システム装置の機能ブロック図
【図２】従来の無線端末システム装置の機能ブロック図
【図３】本発明の実施の形態１のテレビ電話システム装置のフローチャート
【図４】本発明の実施の形態１のテレビ電話システム装置のフローチャート
【図５】本発明の実施の形態１のテレビ電話システム装置のフローチャート
【図６】本発明の実施の形態１のテレビ電話システム装置のフローチャート
【符号の説明】
１０１  自端末
１０２  相手端末
１０３  ネゴシエーション制御部
１０４  画像処理部
１０５  画像取込部
１０６  画像表示部
１０７  表示生成部
１０８  音声処理部
１０９  音声入力部
１１０  音声出力部
１１１  多重化部
１１２  回線Ｉ／Ｆ部
１１３  静止画蓄積部
１１４  蓄積制御部
１１５  回線障害検出部
１１６  画像差分情報検出部
１１７  制御信号判定部
１１８  表示制御部
２０１  通信回線網
【図１】
0003982059.tif 000002
【図２】
0003982059.tif 000003
【図３】
0003982059.tif 000004
【図４】
0003982059.tif 000005
【図５】
0003982059.tif 000006
【図６】
0003982059.tif 000007